(57)【要約】【課題】  土木工事を行うことなく設置することができる移動可能なドーム型遊具を提供すること。【解決手段】  本発明の遊具は、設置面に配置された袋手段２と、袋手段の内部空間に加圧空気を送り袋手段を設置面上で膨張させる加圧手段１８と、膨張させられた袋手段の上面を覆うように袋手段上に被せられ傾斜面を形成する外膜４と、外膜の周縁部を袋手段に連結する連結手段１０と、を備え、袋手段が、互いに連通し、膨張可能で且つ膨張時の高さが異なる複数の空気室２ａ、２ｂ、２ｃ、２ｄ、２ｅ、２ｆを備えている。【選択図】      図２
2005074140.tif 000002
【特許請求の範囲】
【請求項１】
設置面に配置された袋手段と、
該袋手段の内部空間に加圧空気を送り前記袋手段を前記設置面上で膨張させる加圧手段と、
膨張させられた前記袋手段の上面を覆うように該袋手段上に被せられ傾斜面を形成する外膜と、
前記外膜の周縁部を前記袋手段に連結する連結手段と、を備え、
前記袋手段が、互いに連通し、膨張可能で且つ膨張時の高さが異なる複数の空気室を備えている、
ことを特徴とする遊具。
【請求項２】
前記空気室が、前記袋手段の中央に配置された略円筒形状の中央空気室と、該中央空気室を取り囲むように配置されたドーナツ状の複数の周囲空気室とを備えている、
請求項１に記載の遊具。
【請求項３】
前記周囲空気室の高さが、前記中央空気室の高さより低く設定されている、
請求項２に記載の遊具。
【請求項４】
外周側の前記周囲空気室の高さが、中央側の空気室の高さより低く設定されている、
請求項２または３に記載の遊具。
【請求項５】
前記連結手段が、前記外膜の周縁部に取付けられたハトメと、前記袋手段に取付けられた紐状部材を備えている、
請求項１ないし４のいずれか１項に記載の遊具。
【請求項６】
前記空気室間の連通が、空気室間に設けられた開口によって達成されている、
請求項１ないし５のいずれか１項に記載の遊具。
【請求項７】
前記袋手段が、気密性を有する膜体で構成されている、
請求項１ないし６のいずれか１項に記載の遊具。
【発明の詳細な説明】
【技術分野】
【０００１】
本発明は、遊具に関連し、詳細には、風船状に膨らむ袋手段を加圧空気で膨張させることにより、人が上り下りできる弾力性のある斜面（小山）を形成するドーム型の遊具に関連する。
【背景技術】
【０００２】
コーティングが施された布製の袋状部材を地面に設置し、この袋状部材を覆うように外膜を被せ、袋状部材を加圧空気で風船状に膨らませることにより、外膜によって弾力性を有する小山のようなドーム型形状を作り出す屋外用の遊戯装置（遊具）が知られている（例えば、特許文献１参照）。
この遊戯装置では、遊戯装置を設置面である地面に固定するために、外膜の外縁に対応した環状の溝を形成し、外膜の周縁部をこの溝内に固定している。外膜の周縁部が溝内に固定された状態で、砂等の充填部材によって溝を埋め戻し、外膜の周縁部及びこの周縁部を溝内に固定するアンカ等を砂等の充填部材で覆い、地表には露出させない状態とされている。
【０００３】
【特許文献１】特公平７−６３５４７号公報
【発明の開示】
【発明が解決しようとする課題】
【０００４】
このタイプの遊具は、設置面である地面に溝を掘り、この溝内に外膜の外縁部分（裾部分）を埋め込む構造であるため、設置に際しては、周囲に溝を掘る土木工事が必要となる。このため、設置にかなりの費用がかかり、短期間のイベントなどのために一時的に設置するには不適当であった。また、このタイプの遊具は、設置後の移動は実質的には困難であるため、一旦、設置されてしまうと、その設置場所を他の目的に利用できなくなり、スペースの有効利用が阻害されることになっていた。さらに、デパートの屋上、あるいは、体育館等の設置面に溝を掘ることができない場所には設置できないという問題もあった。
【０００５】
本発明は、このような問題を解決するためになされたものであり、土木工事を行うことなく設置することができる移動可能なドーム型遊具を提供することを目的としている。
【課題を解決するための手段】
【０００６】
本発明によれば、設置面に配置された袋手段と、該袋手段の内部空間に加圧空気を送り前記袋手段を前記設置面上で膨張させる加圧手段と、膨張させられた前記袋手段の上面を覆うように該袋手段上に被せられ傾斜面を形成する外膜と、前記外膜の周縁部を前記袋手段に連結する連結手段と、を備え、前記袋手段が、互いに連通し、膨張可能で且つ膨張時に高さが異なる複数の空気室を備えていることを特徴とする遊具が提供される。
【０００７】
このような構成を有する遊具によれば、外膜が膨張時に高さが異なる複数の空気室の上面を覆っているので、空気室の膨張時に、この外膜により傾斜面が形成される。外膜の周縁部は、袋手段に連結されるので、設置面に溝等を形成することなく弾力性のある斜面傾斜面が形成される、且つ、遊具自身の移動も可能となる。
【０００８】
本発明の他の好ましい態様によれば、前記空気室が、前記袋手段の中央に配置された略円筒形状の中央空気室と、該中央空気室を取り囲むように配置されたドーナツ状の複数の周囲空気室とを備えている。尚、ドーナツ状に、断面形状が部分的に異なる環状形状、平面が三角形、四角形、五角形、六角形、その他の多角形、およびその他の形状の環状形状も含まれる。
本発明の他の好ましい態様によれば、前記周囲空気室の高さが、前記中央空気室の高さより低く設定されている。
このような構成によれば、中央から周囲に向かって低くなるように傾斜した斜面が、外膜によって形成される。
【０００９】
本発明の他の好ましい態様によれば、外周側の前記周囲空気室の高さが、中央側の空気室の高さより低く設定されている。
このような構成によれば、中央部以外でも周囲に向かって低くなる傾斜面が、外膜によって形成される。
【００１０】
本発明の他の好ましい態様によれば、前記連結手段が、前記外膜の周縁部に取付けられたハトメと、前記袋手段に取付けられた紐状部材を備えている。
本発明の他の好ましい態様によれば、前記空気室間の連通が、空気室間に設けられた開口によって達成されている。
本発明の他の好ましい態様によれば、前記袋手段が、気密性を有する膜体で構成されている。
【発明の効果】
【００１１】
本発明によれば、土木工事を行うことなく設置することができる移動可能なドーム型の遊具が提供される。
【発明を実施するための最良の形態】
【００１２】
以下、添付図面を参照して、本発明の遊具の好ましい実施形態を詳細に説明する。図１は本発明の好ましい実施形態の遊具１の斜視図、図２は遊具１の側面図、図３は遊具１の平面図、図４は遊具１の一部分を拡大した縦断面図である。
【００１３】
図１に示されているように、遊具１は、袋手段２と、この袋手段２に被せられた外膜４とを備えている。この袋手段２は、気密性を有する膜体を立体裁断することによって構成された膨張可能（すなわち風船状に膨らますことができる）な複数の空気室２ａ、２ｂ、２ｃ、２ｄ、２ｅ、２ｆを備えている。各空気室２ａ、２ｂ、２ｃ、２ｄ、２ｅ、２ｆは、互いに連通し、膨張時の高さが異なるように構成されている。
各空気室２ａ、２ｂ、２ｃ、２ｄ、２ｅ、２ｆを構成する壁の材料は、気密性を有し、クリープ特性に優れた材料であれよく、その種類は特に限定されるものではないが、例えば、塩化ビニール、ポリウレタン、ポリオレフィン、合成ゴム等をコーティングされた、または、これらをラミネートしたポリエステル、ナイロン、オレフィン等が好ましい。
【００１４】
中央に配置された空気室（中央空気室）２ａは、膨張時には、上面と底面が外方に向かって湾曲する略円筒形状を有するように構成されている。また、中央空気室２ａの周囲に配置された他の空気室すなわち第１周囲空気室２ｂ、第２周囲空気室２ｃ、第３周囲空気室２ｄ、第４周囲空気室２ｅ、第５周囲空気室２ｆは、膨張時には、外周側ほど径が大きく且つ高さが低いドーナツ状の形状となるように構成されており、中央空気室２ａから外方（周辺方向）に向かって連続的に配置されている。即ち、中央空気室２ａの高さＨａが最も高く設定され、第１周囲空気室２ｂの高さＨｂが２番目に高く、第２周囲空気室２ｃの高さＨｃが３番目に高く、さらに、第３周囲空気室２ｄの高さＨｄが４番目に高く、第４周囲空気室２ｅの高さＨｅが５番目に高く、第５周囲空気室２ｆの高さＨｆが最も低くなるように構成されている（図４）。尚、本実施形態では、中央空気室２ａの高さＨａは約１ｍに設定されている。従って、本実施形態では、連続して配置された中央空気室２ａおよび複数の周囲空気室２ｂないし２ｆによって、中央部が厚く周縁部に向かうにつれて薄くなる略円盤状の袋手段２が形成される。本実施形態では、最外周の第５周囲空気室２ｆの外径が、略５ｍに設定されている。
【００１５】
中央空気室２ａと第１周囲空気室２ｂの間、および、第１周囲空気室２ｂないし第５周囲空気室２ｆの各周囲空気室間は、環状の隔壁６によって仕切られている。図５に示されているように、この隔壁６は、互いに上下に離間して配置された上方部分６ａと下方部分６ｂから構成されている。上方部分６ａと下方部分６ｂは、それぞれに取付けられたハトメ８に挿通されたロープ１０によって、互いに向かって張られている。このような構成により、各空気室２ａないし２ｆは、上方部分６ａと下方部分６ｂの間の空間１２を介して一体的に流体連通している。
【００１６】
袋手段２に被せられる外膜４は、略円形の膜体である。外膜４の直径は、各空気室が膨張された袋手段２に被せられたとき、袋手段２の最外周すなわち第５周囲空気室２ｆの外周側下側面に周縁４ａが位置する（図４参照）ように設定されている。外膜４の材料は、基本的には各空気室２ａないし２ｆの壁の材料と同様の材料、即ち、塩化ビニール、ポリウレタン、ポリオレフィン、合成ゴム等をコーティングされた、または、これらをラミネートしたポリエステル、ナイロン、オレフィン等から適宜、選択された材料が使用される。しかし、外膜４は、遊具１を屋外に設置したときには日射あるいは降雨に直接、晒され、また、使用者との摩擦にも晒されるため、各空気室２ａないし２ｆの壁の材料より耐候性、耐摩耗性に優れていることが望ましい。一方、各空気室２ａないし２ｆの壁とは異なり、空気で膨張させられるものではないので各空気室２ａないし２ｆの壁ほどの気密性は要求されない。
図６に示されているように、外膜４の周縁４ａには、所定間隔でハトメ１４が取付けられている。このハトメ１４のそれぞれに、最外周の空気室すなわち第５周囲空気室２ｆの外周側下側面にハトメ１４に対応する位置に取付けられている逆Ｕ字状のロープ１６が挿通され、隣接するロープ１６同士が「フジ編み」によって接続されることで、外膜４の周縁４ａが第５周囲空気室２ｆに連結されている。
【００１７】
本実施形態の遊具１は、袋手段２の内部空間に加圧空気を供給し、袋手段２を略円盤状に膨張させる加圧手段を備えている。加圧手段は、袋手段２の外部に配置された送風機１８と、送風機１８からの加圧空気を袋手段２に送り込むダクト２０とを備えている。本実施形態は、使用時には送風機１８を作動させ加圧空気を連続的に袋手段２に送り込む構成であるので、加圧空気が袋手段２から若干の漏出しても、袋手段２内の圧力は略一定に保たれ、袋手段２は、所定の略円盤形状を維持することになる。尚、本実施形態の遊具１は、移動時等には、送風機１８を停止させ、袋手段２を萎める。
最外周の空気室すなわち第５周囲空気室２ｆには、その内部空間と連通する本体側ダクト２２が形成されている。送風機１８からの加圧空気が袋手段２内に送り込まれるように、ダクト２２の先端は本体側ダクト２２に紐などによって連結され（図７参照）。本体側ダクト２２は、袋手段２と同様の膜材料で構成されている。さらに、図７に示されているように、外膜４の周縁部分には、この本体側ダクト２２に対応する形状の切欠き部４ｂが形成されている。
【００１８】
本実施形態では、使用中の遊具１のズレ及び遊具１から子供が落ちたときの事故を防止するため、遊具１の外側に複数枚の略矩形のウレタンマット２４が環状に敷き詰められている。なお、ウレタンマットに替えて、エアーマット、砂入りマット等を敷き詰めてもよい。
【００１９】
本実施形態の遊具１の組み立ての一例を説明する。まず、送風機１２によって袋手段２内に加圧空気を送り込んで袋手段２を略円盤状に膨張させ、この状態で、袋手段２の中心に外膜４の中心がくるようにして、袋手段２に外膜４を被せる。
次いで、第５周囲空気室２ｆの外周下側面に取付けられた逆Ｕ字状のロープ１６を、外膜４の周縁に取付けられたハトメ１４を通して外膜４の裏面から表面側に出し（図８）、さらに、逆Ｕ字状のロープ１６の先端側部分を矢印Ａ方向側に隣接する逆Ｕ字状のロープ１６のＵ字部の中を通して（図９）、矢印Ａ方向に引くことにより、隣接するロープ１６を連結して所謂「フジ編み」を作り、外膜４の外周縁部分を第５周囲空気室２ｆに連結する。この「フジ編み」を、本体側ダクト２２が形成されている部分で途切れさせる構成でも良い。この場合、「フジ編み」の端部は、適宜、袋手段または外膜に固定される。
さらに、送風機１８に接続されているダクト２０の端を、本体側ダクト２２に接続し、紐などによって連結固定して（図７）組み立てを完了する。
【００２０】
このように構成された遊具１では、送風機１２を使用して袋手段２を略円盤状に膨張させることにより、袋手段２に被せられた外膜４が上方に略円盤状に隆起されて、弾力性のある円錐状の斜面を形成し、斜面を子供等が上り下り等して遊ぶことができる。
【００２１】
本発明は上述した実施形態に限定されるものではなくて、特許請求の範囲に記載された事項の範囲内で種々の変更、変形が可能である。
中央空気室の形状および周囲空気室の形状並びに数は、適宜変更可能である。
【００２２】
また、上記実施形態では、全ての周囲空気室が、内側に隣接する周囲空気室より高さが低くなるように構成されているが、図１０に示されるように、外側の周囲空気室（２０ｆ）の高さが内側に隣接する周囲空気室（２０ｅ）の高さより高くなる部分を一部分に含んでも良い。このように構成すれば、外方に向かって低くなる略円錐状の斜面の一部に、外方に向かって高くなる「逆斜面」部分が形成される。
【００２３】
上記実施形態では、中央空気室の高さが第１周囲空気室の高さより高く設定されているが、中央空気室の高さを第１周囲空気室の高さと略同じ或いは第１周囲空気室の高さより低く設定してもよい。
【００２４】
さらに、上記実施形態では、各周囲空気室が円周方向で断面形状が変化しないドーナツ形状であるが、図１１に示すように、各周囲空気室（３０ｂ、３０ｃ、３０ｄ、３０ｅ、３０ｆ）は、円周方向で断面形状が変化するドーナツ形状、即ち、部分的に幅あるいは高さ異なるドーナツ形状であってもよい。また、各空気室４０、５０、６０を、平面形状が三角形（図１２）、四角形（図１３）、六角形（図１４）または他の多角形であるドーナツ形状とした構成であってもよい。
【００２５】
また、上記実施形態では、外膜４が袋手段２の上面全体を覆う構成であったが、外膜４が、袋手段４を構成する各空気室２ａ、２ｂ、２ｃ、２ｄ、２ｅ、２ｆ間に形成される谷部の上方のみを覆うように、複数の環状部分４ａ、４ｂ、４ｃ、４ｄ、４ｅに分けられている構成でもよい（図１５）。このような構成では、各環状部分４ａ、４ｂ、４ｃ、４ｄ、４ｅは、各空気室２ａ、２ｂ、２ｃ、２ｄ、２ｅ、２ｆの上部に縫いつけられて、または、接着、溶着、融着等により接続されることになる。
【００２６】
さらに、上記実施形態の遊具では、接続手段を構成する紐部材が袋手段に取付けられたロープであったが、ロープに代えて、ワイヤ、伸縮性を有するゴムバンド等を使用してもよい。また、接続手段は、外膜の外縁に沿って延びるように外膜に取付けられたロープ、ワイヤ、伸縮性を有するゴムバンド等の紐状部材を備え、外膜を袋手段に被せた状態で、この紐状部材を締めることにより、外膜を袋手段に接続するものでも良く、あるいは、外膜、または、袋手段に取付けたバックルを使用するものでもよい。
【００２７】
また、上記実施形態では、空気室を区切る隔壁６を互いに離間した上方部分６ａと下方部分６ｂとによって構成し、１本のロープ１０によって、これらを互いに延びるように引張っているが、図１６のように、複数のロープ１００で上方部分６ａと下方部分６ｂとを引張る構成でもよい。また、隔壁に、所定間隔、例えば２００ｍｍ間隔で、所定直径、例えば直径２００ｍｍの孔８を形成する構成としてもよい。
【００２８】
さらに、第１７図に示すように、上記袋手段２と同様の構成を有し且つ外径の異なる２つの円盤状の袋手段７０、７２を、間隔をあけて配置し、両袋手段７０、７２の間に円筒状の袋体７４を配置し、さらに、２つの袋手段７０、７２の外側を囲む長円形の空気室７６、７８を配置し、この上に、外膜（図示せず）を被せる構成でもよい。この構成では、円筒状の袋体７４の両端が長円形の空気室７６に連結され、長円形の空気室７６、７８が外方に拡がることを防止している。また、円盤状の袋手段７０、７２のそれぞれを構成する空気室同士は互いに連通している。他の空気室は互いに連通していても独立していてもよい。この実施形態では、外径が大きい円盤状の袋手段７０の中心の高さが、外径が小さい円盤状の袋手段７２の中心の高さより高く構成され、外膜を被せたときの外形が「ひょうたん島」状となる。
【００２９】
この実施形態では、異なる高さを有する２つの円盤状の袋手段が使用されているが、円盤状の袋手段の数は２つに限定されるものではなく３以上でもよい。また、複数の袋手段の高さを同一としてもよい。
【図面の簡単な説明】
【００３０】
【図１】本発明の好ましい実施形態の遊具１の斜視図である。
【図２】図１の遊具の側面図である。
【図３】図１の遊具の平面図である。
【図４】図１の遊具の一部分を拡大した縦断面図である。
【図５】各周囲空気室間の隔壁の構成を示す図４のＶ−Ｖ線に沿った部分的な側面図である。
【図６】外膜と最外周の空気室すなわち第５周囲空気室との連結状態を示す概略的な図面である。
【図７】送風機からのダクトと最外周の空気室すなわち第５周囲空気室との接続状態を示す概略的な図面である。
【図８】外膜と第５周囲空気室との連結方法を説明する概略的な図面である。
【図９】外膜と第５周囲空気室との連結方法を説明する概略的な図面である。
【図１０】他の実施形態の構造を示す概略的な断面図である。
【図１１】他の実施形態の袋手段の形状を示す概略的な平面図である。
【図１２】他の実施形態の袋手段の形状を示す概略的な平面図である。
【図１３】他の実施形態の袋手段の形状を示す概略的な平面図である。
【図１４】他の実施形態の袋手段の形状を示す概略的な平面図である。
【図１５】他の実施形態の遊具の外膜の形状を示す概略的な平面図である。
【図１６】他の実施形態の遊具の空気室間の隔壁の構成を示す図５と同様の部分的な側面図である。
【図１７】他の実施形態の袋手段の形状を示す概略的な平面図である。
【符号の説明】
【００３１】
１：遊具
２：袋手段
４：外膜
８：ハトメ
１０：ロープ
１８：送風機
２０：ダクト
【図１】
2005074140.tif 000003
【図２】
2005074140.tif 000004
【図３】
2005074140.tif 000005
【図４】
2005074140.tif 000006
【図５】
2005074140.tif 000007
【図６】
2005074140.tif 000008
【図７】
2005074140.tif 000009
【図８】
2005074140.tif 000010
【図９】
2005074140.tif 000011
【図１０】
2005074140.tif 000012
【図１１】
2005074140.tif 000013
【図１２】
2005074140.tif 000014
【図１３】
2005074140.tif 000015
【図１４】
2005074140.tif 000016
【図１５】
2005074140.tif 000017
【図１６】
2005074140.tif 000018
【図１７】
2005074140.tif 000019